【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
走行部の後方に連結した作業部に、同作業部への動力伝達を入切するクラッチを設け、同クラッチを、操作ワイヤを介して走行部の運転部に設けたクラッチレバーにより操作可能とした水田用作業機において、
操作ワイヤの中途部に中継連結手段を設けると共に、同中継連結手段は、走行部に固定する固定側中継連結体と、同固定側中継連結体に着脱自在に連結した着脱側中継連結体とを具備することを特徴とする水田用作業機。
【請求項２】
走行部の後方に連結した植付部に、複数条分の苗縦送りベルトへの動力伝達を二条分毎に入切する苗縦送りベルトクラッチと、複数条分の植付爪への動力伝達を二条分毎に入切する植付ユニットクラッチとを設け、各苗縦送りベルトクラッチと各植付ユニットクラッチを、操作ワイヤを介して走行部の運転部に設けたユニットクラッチレバーにより操作可能とした乗用田植機において、
操作ワイヤの中途部に中継連結手段を設けると共に、同中継連結手段は、走行部に固定する固定側中継連結体と、同固定側中継連結体に着脱自在に連結した着脱側中継連結体とを具備することを特徴とする乗用田植機。
【請求項３】
固定側中継連結体にユニットクラッチレバーに連動して作用動作する作用片を設ける一方、
着脱側中継連結体に作用片の作用動作に連動して被作用動作する被作用片を設けて、同被作用片の被作用動作に各苗縦送りベルトクラッチと各植付ユニットクラッチを連動させたことを特徴とする請求項２記載の乗用田植機。
【請求項４】
作用片は上下方向に伸延させて形成して中途部を枢支し、同作用片の一側端部とユニットクラッチレバーとを、操作ワイヤの一部を形成する作用側ワイヤを介して連動連結する一方、
被作用片は、上下方向に伸延させて形成して中途部を枢支し、同被作用片の一側端部と各苗縦送りベルトクラッチ及び各植付ユニットクラッチとを、操作ワイヤの一部を形成する被作用側ワイヤを介して連動連結し、
作用片の他側端部と被作用片の他側端部とを前後方向に対向させて配置して、ユニットクラッチレバーに連動して作用片と被作用片とが一体的に回動動作するようにしたことを特徴とする請求項３記載の乗用田植機。
【手続補正２】
【補正対象書類名】明細書
【補正対象項目名】０００１
【補正方法】変更
【補正の内容】
【０００１】
本発明は、乗用田植機等の水田用作業機に関する。
【手続補正３】
【補正対象書類名】明細書
【補正対象項目名】０００２
【補正方法】変更
【補正の内容】
【０００２】
従来、水田用作業機、例えば、乗用田植機の一形態として、走行部の後方に連結した植付部に、複数条分の苗縦送りベルトへの動力伝達を二条分毎に入切する苗縦送りベルトクラッチと、複数条分の植付爪への動力伝達を二条分毎に入切する植付ユニットクラッチとを設け、各苗縦送りベルトクラッチと各植付ユニットクラッチを、操作ワイヤを介して走行部の運転部に設けたユニットクラッチレバーにより操作可能としたものがある（例えば、特許文献１参照）。
【手続補正４】
【補正対象書類名】明細書
【補正対象項目名】０００７
【補正方法】変更
【補正の内容】
【０００７】
そこで、本発明では、走行部の後方に連結した作業部に、同作業部への動力伝達を入切するクラッチを設け、同クラッチを、操作ワイヤを介して走行部の運転部に設けたクラッチレバーにより操作可能とした水田用作業機において、操作ワイヤの中途部に中継連結手段を設けると共に、同中継連結手段は、走行部に固定する固定側中継連結体と、同固定側中継連結体に着脱自在に連結した着脱側中継連結体とを具備することを特徴とする水田用作業機を提供するものである
【手続補正５】
【補正対象書類名】明細書
【補正対象項目名】０００８
【補正方法】変更
【補正の内容】
【０００８】
また、本発明は、以下の構成にも特徴を有する。
（１）走行部の後方に連結した植付部に、複数条分の苗縦送りベルトへの動力伝達を二条分毎に入切する苗縦送りベルトクラッチと、複数条分の植付爪への動力伝達を二条分毎に入切する植付ユニットクラッチとを設け、各苗縦送りベルトクラッチと各植付ユニットクラッチを、操作ワイヤを介して走行部の運転部に設けたユニットクラッチレバーにより操作可能とした乗用田植機において、操作ワイヤの中途部に中継連結手段を設けると共に、同中継連結手段は、走行部に固定する固定側中継連結体と、同固定側中継連結体に着脱自在に連結した着脱側中継連結体とを具備すること。
【手続補正６】
【補正対象書類名】明細書
【補正対象項目名】０００９
【補正方法】変更
【補正の内容】
【０００９】
（２）固定側中継連結体にユニットクラッチレバーに連動して作用動作する作用片を設ける一方、着脱側中継連結体に作用片の作用動作に連動して被作用動作する被作用片を設けて、同被作用片の被作用動作に各苗縦送りベルトクラッチと各植付ユニットクラッチを連動させたこと。
【手続補正７】
【補正対象書類名】明細書
【補正対象項目名】００１０
【補正方法】変更
【補正の内容】
【００１０】
（３）作用片は上下方向に伸延させて形成して中途部を枢支し、同作用片の一側端部とユニットクラッチレバーとを、操作ワイヤの一部を形成する作用側ワイヤを介して連動連結する一方、被作用片は、上下方向に伸延させて形成して中途部を枢支し、同被作用片の一側端部と各苗縦送りベルトクラッチ及び各植付ユニットクラッチとを、操作ワイヤの一部を形成する被作用側ワイヤを介して連動連結し、作用片の他側端部と被作用片の他側端部とを前後方向に対向させて配置して、ユニットクラッチレバーに連動して作用片と被作用片とが一体的に回動動作するようにしたこと。
【手続補正８】
【補正対象書類名】明細書
【補正対象項目名】００１１
【補正方法】変更
【補正の内容】
【００１１】
（１）請求項１記載の本発明では、走行部の後方に連結した作業部に、同作業部への動力伝達を入切するクラッチを設け、同クラッチを、操作ワイヤを介して走行部の運転部に設けたクラッチレバーにより操作可能とした水田用作業機において、操作ワイヤの中途部に中継連結手段を設けると共に、同中継連結手段は、走行部に固定する固定側中継連結体と、同固定側中継連結体に着脱自在に連結した着脱側中継連結体とを具備している。
このようにして、走行部に固定する固定側中継連結体に着脱側中継連結体を着脱自在に連結しているため、走行部と作業部との連結を解除する際には、固定側中継連結体から着脱側中継連結体を取り外すことにより、作業部側の操作ワイヤを連結解除することができる。
一方、再度、走行部に作業部を連結する際にも、固定側中継連結体に着脱側中継連結体を取り付けることにより、作業部側の操作ワイヤを連結することができる。
そして、固定側中継連結体から取り外した着脱側中継連結体は、作業部側の操作ワイヤを介して作業部に連結されたままの状態で、同作業部と一緒に格納等することができるため、紛失等の虞がない。
しかも、作業部側の操作ワイヤの先端部は、着脱側中継連結体に連結されたままであるため、走行部側の操作ワイヤに間違えて連結するという不具合を防止することができると共に、作業者にとっては、注意しながら連結作業をしなければならないという精神的負担をなくすことができて、精神的疲労を軽減することができる。
（２）請求項２記載の本発明では、走行部の後方に連結した植付部に、複数条分の苗縦送りベルトへの動力伝達を二条分毎に入切する苗縦送りベルトクラッチと、複数条分の植付爪への動力伝達を二条分毎に入切する植付ユニットクラッチとを設け、各苗縦送りベルトクラッチと各植付ユニットクラッチを、操作ワイヤを介して走行部の運転部に設けたユニットクラッチレバーにより操作可能とした乗用田植機において、操作ワイヤの中途部に中継連結手段を設けると共に、同中継連結手段は、走行部に固定する固定側中継連結体と、同固定側中継連結体に着脱自在に連結した着脱側中継連結体とを具備している。
【手続補正９】
【補正対象書類名】明細書
【補正対象項目名】００１６
【補正方法】変更
【補正の内容】
【００１６】
（３）請求項３記載の本発明では、固定側中継連結体にユニットクラッチレバーに連動して作用動作する作用片を設ける一方、着脱側中継連結体に作用片の作用動作に連動して被作用動作する被作用片を設けて、同被作用片の被作用動作に各苗縦送りベルトクラッチと各植付ユニットクラッチを連動させている。
【手続補正１０】
【補正対象書類名】明細書
【補正対象項目名】００１８
【補正方法】変更
【補正の内容】
【００１８】
（４）請求項４記載の本発明では、作用片は上下方向に伸延させて形成して中途部を枢支し、同作用片の一側端部とユニットクラッチレバーとを、操作ワイヤの一部を形成する作用側ワイヤを介して連動連結する一方、被作用片は、上下方向に伸延させて形成して中途部を枢支し、同被作用片の一側端部と各苗縦送りベルトクラッチ及び各植付ユニットクラッチとを、操作ワイヤの一部を形成する被作用側ワイヤを介して連動連結し、作用片の他側端部と被作用片の他側端部とを前後方向に対向させて配置して、ユニットクラッチレバーに連動して作用片と被作用片とが一体的に回動動作するようにしている。
【手続補正１１】
【補正対象書類名】明細書
【補正対象項目名】００２２
【補正方法】変更
【補正の内容】
【００２２】
図1及び図２に示すＡは、本発明に係る水田用作業機としての乗用田植機であり、同乗用田植機Ａは、走行部１の後方に昇降リンク機構２を介して作業部としての植付部３を昇降自在に連結すると共に、走行部１の後部に施肥部４を載設している。